(57)【要約】      （修正有）【課題】着脱が快適で容易な、バックル構造を有しないパンティコースレットを提供する。【解決手段】パンティコースレットは、全体として結合しているブラウス部１とパンツ部とを含む。パンツ部は、前部股上部分２と、前部股上部分とブラウス部との間で結合されている２本の結合ベルト３を含んでいる。２本の結合ベルトのそれぞれの一端は、臀部側のブラウス部の底縁に結合され、他端は前部股上部分の底縁に結合され、その結果、着用者の大腿部を通すことが可能である２つの開口を形成する。パンティコースレットは、バックルを備えていないので、女性はパンティコースレットを便利に着脱できる。特に、パンティコースレットのパンツ部は、トイレに行ったとき、容易に脱ぐことが可能である。【選択図】図１
0003144771.tif 000002
【実用新案登録請求の範囲】
【請求項１】
バックル構造を有しないパンティコースレットであって、
ブラウス部と、
該ブラウス部に全体として結合されるパンツ部とを含み、
パンツ部は前部股上部分と２本の結合ベルトとを含み、２本の結合ベルトは該前部股上部分と該ブラウス部との間で結合され、着用者の大腿部を通すことが可能な２つの開口を形成することを特徴とする、バックル構造を有しないパンティコースレット。
【請求項２】
前部股上部分の上縁は、ブラウス部の正面側底縁に結合され、２本の結合ベルトのそれぞれの一端は、臀部側のブラウス部の底縁に結合され、２本の結合ベルトのそれぞれの他端は、前部股上部分の底縁に結合されることを特徴とする、請求項１記載のバックル構造を有しないパンティコースレット。
【請求項３】
２本の結合ベルトの両端は、ブラウス部および前部股上部分とそれぞれ縫い合わせられていることを特徴とする、請求項１または２記載のバックル構造を有しないパンティコースレット。
【請求項４】
着用時に、２本の結合ベルトは、大腿部および臀部を囲み、ブラウス部および前部股上部分を引っ張ることを特徴とする、請求項３記載のバックル構造を有しないパンティコースレット。
【請求項５】
２本の結合ベルトは繊維で作られていることを特徴とする、請求項１記載のバックル構造を有しないパンティコースレット。
【請求項６】
繊維は弾性繊維であることを特徴とする、請求項５記載のバックル構造を有しないパンティコースレット。
【請求項７】
前部股上部分は繊維で作られていることを特徴とする、請求項１記載のバックル構造を有しないパンティコースレット。
【請求項８】
繊維は弾性繊維であることを特徴とする、請求項７記載のバックル構造を有しないパンティコースレット。
【考案の詳細な説明】
【技術分野】
【０００１】
本考案は、概ね衣類および下着の分野、特にバックル構造を有しないパンティコースレットに関する。
【背景技術】
【０００２】
現今一般に、パンティコースレット、コルセット等の身体にぴったりとフィットするパンティ下着は、女性が便利に着脱できるよう、通常２つのタイプのバックル構造を備えている。１つのタイプは、股領域周りに設けられた開閉可能なバックルが配置されたものである。もう１つのタイプは、パンツとブラウスの間で、取り外し可能な結合構造を配置したものである。
【考案の開示】
【考案が解決しようとする課題】
【０００３】
股領域周りに設けられた開閉可能なバックルが配置されたものについては、これらのバックルは比較的しっかりとした硬い材料であり、そのため、そのようなバックルを有した下着の着用に不快感を感じる結果となり、特に体にぴったりとフィットするパンティコースレットの場合であれば、その不快感は一層明らかである。パンツとブラウスの間で、取り外し可能な結合構造を配置したものについては、そのようなバックルを有する結合を実現するためには、多数の関連の付属品を使用しなくてはならず、もしジッパーを結合のための部品として適用するのであれば、そのために比較的大きい範囲が要されることとなり、その結果、体にぴったりとフィットする下着を着用する快適さの度合いが大きく低減される。上記２つのタイプの構造は、パンティコースレットの着脱の問題を解決していない。女性が便利に着脱できる快適なパンティ下着がもとめられている。
【０００４】
本考案は、着脱が快適で容易な、バックル構造を有しないパンティコースレットを提供することを目的とする。
【課題を解決するための手段】
【０００５】
本考案は、全体として結合されているブラウス部とパンツ部とを含む、バックル構造を有しないパンティコースレットを提供する。パンツ部は、前部股上部分と２本の結合ベルトとを含み、２本の結合ベルトは、前部股上部分をブラウス部に結合し、着用者の大腿部が通過可能な２つの開口を形成する。
【０００６】
本考案に従った実施形態において、前部股上部分の上縁は、正面側のブラウス部の底縁に結合され、２本の結合ベルトのそれぞれの一端は、臀部側のブラウス部の底縁に結合され、２本の結合ベルトのそれぞれの他端は、前部股上部分の底縁に結合されている。
【０００７】
本考案に従った実施形態において、２本の結合ベルトの両端は、ブラウス部および前部股上部分とそれぞれ縫い合わせられている。
【０００８】
本考案に従った実施形態において、着用時に、２本の結合ベルトは、大腿部と臀部とを囲み、ブラウス部と前部股上部分とを引っ張る。
【０００９】
本考案に従った実施形態において、２本の結合ベルトは、弾性繊維または非弾性繊維のいずれかで作られている。
【００１０】
本考案に従った実施形態において、前部股上部分は、弾性繊維または非弾性繊維のいずれかで作られている。
【考案の効果】
【００１１】
本考案のパンティコースレットは、女性がトイレに行った場合、パンティコースレットのパンツ部を容易に脱ぐことができるという点で、非常に便利である。本考案のパンティコースレットは、股領域等に結合のためのバックルを有しないようにデザインされており、これにより、バックルによる結合に関連する、今日の技術の欠点が克服される。さらに、本考案のパンティコースレットのブラウスとパンツとは、縫合により結合されており、したがって、女性がパンティコースレットをより快適に着用することを可能にする。
【考案を実施するための最良の形態】
【００１２】
以下の実施形態および図面は、単に本考案をさらに明らかにし説明するものであって、本考案の範囲を限定しようとするものではない。
【００１３】
本考案のバックル構造を有しないパンティコースレットは、ブラウス部１とパンツ部とを含んでいる。ブラウス部１は既存のパンティ下着と同じ構造でデザインされており、パンツ部の一端全体に、縫合等によって結合されている。パンティコースレットの着用をより容易にするために、本考案のパンティコースレットのパンツ部は、前部股上部分２と２本の結合ベルト３とを含んでいる。２本の結合ベルト３は、前部股上部分２とブラウス部１との間に備えられており、前部股上部分２およびブラウス部１とともに２つの開口を形成している。着用時に、着用者の大腿部を、開口に通すことが可能である。
【００１４】
図１に示されるように、前部股上部分２の上縁は、正面側のブラウス部１の底縁に、縫合等によって結合されている。２本の結合ベルト３のそれぞれの一端は、臀部側のブラウス部１の底縁に結合され、他端は前部股上部分２の底縁に結合されている。図２に示されるように、着用時に、２本の結合ベルト３は大腿部および臀部を囲み、ブラウス部１および前部股上部分２を引っ張る。快適な着用を保証するために、２本の結合ベルト３の両端は、ブラウス部１および前部股上部分２とそれぞれ縫い合わせられている。このため、バックル、ジッパー等（通常、これらはしっかりとした硬い材料で作られている）の必要がなくなる。
【００１５】
本考案において、２本の結合ベルト３と前部股上部分２とは、体にぴったりと密着させることを目的するための繊維で作ることが可能である。さらに、２本の結合ベルト３と前部股上部分２とは弾性繊維で作ることが可能であり、したがってパンティコースレットの着用が便利になる。図３に参照されるように、本考案のパンティコースレットは、女性がトイレに行った場合、パンツを容易に脱ぐことを可能にする。
【図面の簡単な説明】
【００１６】
【図１】本考案の一実施形態に従った、バックル構造を有しないパンティコースレットの斜視図である。
【図２】着用時の、図１のバックル構造を有しないパンティコースレットの概略図である。
【図３】パンツを脱いだ時の、図１のバックル構造を有しないパンティコースレットの概略図である。
【符号の説明】
【００１７】
１  ブラウス部
２  前部股上部分
３  結合ベルト
【図１】
0003144771.tif 000003
【図２】
0003144771.tif 000004
【図３】
0003144771.tif 000005